(57)【要約】【課題】衣類乾燥または浴室の暖房や乾燥に使用される送風装置において、従来の「集中」、「拡散」の風向に加えて、吹き出し口の長手方向にも風向変更が可能な送風装置を提供すること目的とする。【解決手段】吹き出し口４の長手方向に回転軸６を備えた風向変更手段５を有する衣類乾燥装置であり、風向変更手段５は、長手方向に二分割されて第一の風向変更手段７と第二の風向変更手段８を構成し、第一の風向変更手段７、第二の風向変更手段８はそれぞれ、回転軸６に対して同じ方向に傾けて取り付けた複数の風向変更板１２を有し、第一の風向変更手段７、第二の風向変更手段８を独立に回転させて風向を制御するという構成にしたことにより、従来の「集中」、「拡散」に加え、吹き出し口の長手方向に風向を変更することができる送風装置を得られる。【選択図】  図３
2015139631.tif 000002
【特許請求の範囲】
【請求項１】
送風手段を備えた本体と、
前記本体の一辺に沿って設けた吹き出し口と、
前記吹き出し口の長手方向に回転軸を備えた風向変更手段とを有する送風装置であり、
前記風向変更手段は、長手方向に二分割されて第一の風向変更手段と第二の風向変更手段を構成し、
第一、第二の風向変更手段はそれぞれ、前記回転軸に対して同じ方向に傾けて取り付けた複数の風向変更板を有し、
第一、第二の風向変更手段を独立に回転させて風向を変更することを特徴とする送風装置。
【請求項２】
風向変更手段を回転させる手段として、第一の風向変更手段と第二の風向変更手段の各回転軸の一端にそれぞれ位置し、前記回転軸を駆動する回転駆動手段と、前記回転駆動手段に駆動指示を出す制御部を有することを特徴とする請求項１に記載の送風装置。
【請求項３】
風向が「集中」または「拡散」の場合は、第一の風向変更手段の風向変更板と第二の風向変更手段の風向変更板が前記回転軸に対して互いに逆の方向に傾くように回転させ、
吹き出し口の長手方向に風向を変化させる場合は、第一の風向変更手段の風向変更板と第二の風向変更手段の風向変更板が前記回転軸に対して互いに同じ方向に傾くように回転させるように、前記制御部が回転駆動手段に駆動を指示することを特徴とする請求項２に記載の送風装置。
【請求項４】
制御部は、初期風向設定を記憶する設定記憶手段を有し、前記制御部は前記設定記憶手段に記憶された初期風向設定に応じて、運転開始時の風向を変更させることを特徴とする請求項２または３に記載の送風装置。
【請求項５】
制御部は、第一の風向変更手段と第二の風向変更手段のうち、一方を固定し他方のみを回転させることを特徴とする請求項２から４のいずれか１項に記載の送風装置。
【請求項６】
請求項１から５いずれかの送風装置を備えた衣類乾燥装置。
【請求項７】
請求項１から５いずれかの送風装置を備えた浴室乾燥装置。
【発明の詳細な説明】
【技術分野】
【０００１】
本発明は、衣類乾燥または浴室の暖房や乾燥に使用される送風装置に関するものである。
【背景技術】
【０００２】
従来、この種の送風装置は、吹き出し口に設けられた風向変更手段を回転させることにより、使用時の条件や用途に合わせて吹き出される気流の幅を、狭い範囲に限定して送風する「集中」と、広い範囲に送風する「拡散」に切り替えられるものが知られている（例えば、特許文献１参照）。
【０００３】
以下、その送風装置について図４を参照しながら説明する。
【０００４】
図４に示すように、風向変更手段１０１は風向変更手段１０１を回転可能に支持する回転軸１０２と、回転軸１０２の一方に位置し、回転軸を駆動させる回転駆動手段１０３と、回転軸１０２の回転方向に気流を制御するフラップ１０４と、フラップ１０４に挟み込まれるように配置されている。そして、フラップ１０４に略ハの字型に固定された複数の風向変更板１０５を備え、回転軸１０２を１８０°回転することにより、気流の風向を回転軸１０２の軸方向に拡散または集中させる構成となっている。
【先行技術文献】
【特許文献】
【０００５】
【特許文献１】特許第５３１６０４７号公報
【発明の概要】
【発明が解決しようとする課題】
【０００６】
このような従来の送風装置においては、風向変更手段を回転することにより、狭い範囲に限定して送風する「集中」と、広い範囲に送風する「拡散」を切り替えられる。しかし、この風向は、吹き出し口の正面中心にしたものである。吹き出し口の長手方向に外れた位置に送風しようとすると、「拡散」を選択して少ない風量しかあてられないという課題を有していた。
【０００７】
そこで本発明は、上記従来の課題を解決するものであり、機器の設置位置や使用者の好みに応じて、吹き出し口の長手方向にも風向を変更して、送風装置の正面以外にも大きな風量を送風できる送風装置を提供することを目的とする。
【課題を解決するための手段】
【０００８】
そして、この目的を達成するために、本発明は、送風手段を備えた本体と、前記本体の一辺に沿って設けた吹き出し口と、前記吹き出し口の長手方向に回転軸を備えた風向変更手段とを有する送風装置であり、前記風向変更手段は、長手方向に二分割されて第一の風向変更手段と第二の風向変更手段を構成し、第一、第二の風向変更手段はそれぞれ、前記回転軸に対して同じ方向に傾けて取り付けた複数の風向変更板を有し、第一、第二の風向変更手段を独立に回転させて風向を変更する構成としたものであり、これにより所期の目的を達成するものである。
【発明の効果】
【０００９】
本発明によれば、第一の風向変更手段と第二の風向変更手段を独立に回転させることにより、従来の「集中」、「拡散」に加え、吹き出し口の長手方向に風向を変更することが
でき、機器の設置位置や使用者の好みに応じて、風向を変更できるという効果を得ることができる。
【図面の簡単な説明】
【００１０】
【図１】本発明の実施の形態１の送風装置が設置された浴室の側面図
【図２】本発明の実施の形態１の送風装置の構成を示す正面図
【図３】本発明の実施の形態１の風向変更手段５の構成を示す外観図（（ａ）ルーバと一体ではない場合の図、（ｂ）ルーバと一体の場合の図）
【図４】従来の送風装置の風向変更手段の外観図
【発明を実施するための形態】
【００１１】
本発明の請求項１記載の送風装置は、送風手段を備えた本体と、前記本体の一辺に沿って設けた吹き出し口と、前記吹き出し口の長手方向に回転軸を備えた風向変更手段とを有する送風装置であり、前記風向変更手段は、長手方向に二分割されて第一の風向変更手段と第二の風向変更手段を構成し、第一、第二の風向変更手段はそれぞれ、前記回転軸に対して同じ方向に傾けて取り付けた複数の風向変更板を有し、第一、第二の風向変更手段を独立に回転させて風向を変更するという構成を有する。これにより、第一の風向変更手段と、第二の風向変更手段を独立に回転させることにより、従来の「集中」、「拡散」に加え、吹き出し口の長手方向に風向を変更することができ、機器の設置位置や使用者の好みに応じて、吹き出し口の長手方向にも風向を変更できるという効果を奏する。
【００１２】
また、請求項２記載の送風装置は、風向変更手段を回転させる手段として、第一の風向変更手段と第二の風向変更手段の各回転軸の一端にそれぞれ位置し、前記回転軸を駆動する回転駆動手段と、前記回転駆動手段に駆動指示を出す制御部を有する。これにより、制御部は回転駆動手段によって第一の風向変更手段と、第二の風向変更手段を独立に回転させて風向を制御することができ、機器の設置位置や使用者の好みに応じて、吹き出し口の長手方向にも風向を変更できるという効果を奏する。
【００１３】
また、請求項３記載の送風装置は、風向が「集中」または「拡散」の場合は、第一の風向変更手段の風向変更板と第二の風向変更手段の風向変更板が前記回転軸に対して互いに逆の方向に傾くように回転させ、吹き出し口の長手方向に風向を変化させる場合は、第一の風向変更手段の風向変更板と第二の風向変更手段の風向変更板が前記回転軸に対して互いに同じ方向に傾くように回転させるように、前記制御部が回転駆動手段に駆動を指示するという構成を有する。これにより、制御部は回転駆動手段によって第一の風向変更手段と、第二の風向変更手段の風向変更板の方向の組み合わせを変えることにより、「集中」、「拡散」に加え、吹き出し口の長手方向にも風向を変更することができるため、機器の設置位置や使用者の好みに応じて、吹き出し口の長手方向にも風向を変更できるという効果を奏する。
【００１４】
また、請求項４記載の送風装置は、制御部は、初期風向設定を記憶する設定記憶手段を有し、前記制御部は前記設定記憶手段に記憶された初期風向設定に応じて、運転開始時の風向を変更させるという構成を有する。これにより、使用者は機器の設置位置や使用者の好みに合わせて所望の風向を初期値に設定しておくことにより、運転開始時の風向を変更することができるため、設置環境や使用者の要望に幅広く対応した運転ができるという効果を奏する。
【００１５】
また、請求項５記載の送風装置は、制御部は、第一の風向変更手段と第二の風向変更手段のうち、一方を固定し他方のみを回転させる構成を有する。これにより、「集中」、「拡散」に対して吹き出し口の長手方向に変化をつけた送風をすることができるため、設置環境や使用者の要望に幅広く対応した運転ができるという効果を奏する。
【００１６】
以下、本発明の実施の形態について図面を参照しながら説明する。
【００１７】
（実施の形態１）
図１は、本発明の実施の形態１における送風装置が設置された浴室の側面図であり、図２は、本発明の実施の形態１における送風装置の構成を表す正面図である。図１、図２において、送風装置本体１は、浴室２０の壁面に設置され、衣類乾燥や浴室２０の暖房または乾燥を行う浴室暖房乾燥機である。また、本実施の形態１においては、図２に向かって右方向を「右」、向かって左方向を「左」と表現する。
【００１８】
図１において、浴室２０内のバスタブ２１、洗い場２２と送風装置本体１の位置関係は、設置環境によって異なる。図１では、吹き出し口４の正面方向にはバスタブ２１があり、洗い場２２は、吹き出し口４の正面から外れた位置にある。このような設置状況において、洗い場２２側に暖房の風を送りたい場合や、洗い場２２側に洗濯物を干して乾燥させたい場合などは、吹き出し口４の長手方向にも風向を変更して、送風装置本体１の正面以外にも大きな風量を送風することが望ましい。
【００１９】
図２において、送風装置本体１に備えた送風手段２はモータで駆動し、吸い込み口３から取り込んだ室内の空気を吹き出し口４の方向へ送り出す。吹き出し口４は、送風装置本体１の一辺（図２における下辺）に沿って長方形の形状で設けられている。そして、吹き出し口４の近傍には風向変更手段５を備えている。
【００２０】
風向変更手段５は、吹き出し口４の長手方向に回転軸６を持ち、長手方向に二分割されて第一の風向変更手段７と第二の風向変更手段８を構成する。第一の風向変更手段７は送風装置本体１に向かって左側に位置し、第二の風向変更手段８は送風装置本体１に向かって右側に位置するものである。
【００２１】
図３（ａ）は、本発明実施の形態１における風向変更手段５の外観図である。図３（ａ）において、第一の風向変更手段７、第二の風向変更手段８は、それぞれ、回転軸６の一端に回転軸６を回転可能に保持する保持部９と、他端に回転軸６を駆動させる回転駆動手段１０を有している。第一の風向変更手段７、第二の風向変更手段８は互いに独立して回転させることができる。回転駆動手段１０はステッピングモータ等であり、送風装置本体１に備えた制御部１１から駆動の指示を受け、第一の風向変更手段７、第二の風向変更手段８を回転駆動させる。また、第一の風向変更手段７、第二の風向変更手段８それぞれの回転軸６には、複数の風向変更板１２が回転軸６に対して同じ方向に傾けて取り付けられている。第一の風向変更手段７、第二の風向変更手段８が回転軸６の回りに１８０°回転することにより、風向変更板１２は吹き出し口４から吹き出される気流の方向を右方向または左方向に誘導することができる。
【００２２】
ここで、制御部１１は、広い範囲に送風する「拡散」または、狭い範囲に限定して送風する「集中」の場合は、第一の風向変更手段７の風向変更板１２と第二の風向変更手段８の風向変更板１２が、回転軸６に対して互いに逆の方向に傾くように回転させる。また、吹き出し口４の長手方向に風向を変化させる場合は、回転軸６に対して互いに同じ方向に傾くように回転させる。すなわち、「拡散」の場合は、第一の風向変更手段７の風向変更板１２を左側に向け、第二の風向変更手段８の風向変更板１２を右側に向けるよう、回転駆動手段１０を駆動させる。「集中」の場合は、第一の風向変更手段７の風向変更板１２を右側に向け、第二の風向変更手段８の風向変更板１２を左側に向けるよう、回転駆動手段１０を駆動させる。また、吹き出し口４の長手方向に風向を変化させる場合で、送風装置本体１に向かって「左方向」に吹き出す場合は、第一の風向変更手段７の風向変更板１２、第二の風向変更手段８の風向変更板１２をともに左側に向けるよう、回転駆動手段１
０を駆動させる。「右方向」の場合は、第一の風向変更手段７の風向変更板１２、第二の風向変更手段８の風向変更板１２をともに右側に向けるよう、回転駆動手段１０を駆動させる。
【００２３】
さらに、制御部１１は、送風装置本体１の設置位置や使用者の好みに応じて初期風向設定を記憶できる設定記憶手段（図示せず）を備えた構成としても良い。設定記憶手段は、例えば、送風装置本体１または、リモコンなどの操作により、設定を変更できるモードに移行し、「集中」、「拡散」、「左方向」、「右方向」の中から運転開始時の風向を選択することによって初期風向設定を記憶する。そして、制御部１１は、次回運転開始時に、設定記憶手段に記憶された風向で運転を開始するものである。
【００２４】
また、制御部１１は、第一の風向変更手段７と第二の風向変更手段８のうち、一方を固定し他方のみを回転させることにより、吹き出し口の長手方向に変化をつけた送風をすることができる。
【００２５】
例えば、第二の風向変更手段８を風向変更板１２が左方向を向いた状態で固定し、第一の風向変更手段７は、所定の時間が経過するごとに風向変更板１２が左向きの状態と右向きの状態を順次切り替えるように回転させる。このようにすると、向かって左側を中心に吹く状態と、正面に集中して吹く状態が交互にできることになる。
【００２６】
また、第二の風向変更手段８を風向変更板１２が右方向を向いた状態で固定し、第一の風向変更手段７は、所定の時間が経過するごとに風向変更板１２が左向きの状態と右向きの状態を順次切り替えるように回転させる。このようにすると、向かって右側を中心に吹く状態と、正面側に拡散して吹く状態が交互にできることになる。
【００２７】
上記では、第二の風向変更手段８を固定したが、第一の風向変更手段７を固定することによって、逆側を中心に送風する状態を作ることができる。
【００２８】
このような構成によれば、「集中」または「拡散」の送風をしつつ、左方向または右方向へ誘導する気流を送ることができる。例えば、浴室暖房乾燥機で設置位置と洗い場の方向が左右にずれた位置にある場合などにも洗い場方向に風を送りながら「集中」や「拡散」の送風ができる。
【００２９】
上記の送風装置本体１は、回転軸６の回転方向に風向を変更するルーバ１３の動作と組み合わせることにより、多様な風向を実現することができる。ルーバ１３は、図２のように風向変更手段５と別に吹き出し口４に設け、風向変更手段５と独立して動作する構成のほか、図３（ｂ）のように、風向変更手段５と一体化させ、第一の風向変更手段７、第二の風向変更手段８の回転と同時に回転軸６の回転方向に風向が変化する構成としても良い。
【００３０】
以上のように、送風装置本体１は、第一の風向変更手段７、第二の風向変更手段８を独立に回転させて風向を制御することができるため、吹き出し口４の長手方向に風向を変更することができる。
【００３１】
なお、本実施の形態１において、送風装置本体１は浴室の壁面に設置する浴室暖房乾燥機としたが、浴室の天井に設置する浴室暖房乾燥機や、室内に設置される衣類乾燥機、または除湿機等でもよい。
【００３２】
特に、浴室の天井に設置する浴室暖房乾燥機においては、バスタブ、洗い場の位置、浴室暖房乾燥機の設置方向など様々な場合が発生する。本実施の形態の送風装置を搭載した
浴室暖房乾燥機によれば、様々な方向に送風することが可能になる。すなわち、乾燥させたい方向に集中して送風することができる。
【産業上の利用可能性】
【００３３】
本発明にかかる送風装置は、吹き出し口の長手方向に風向変更することができるものであり、衣類乾燥または浴室の暖房や乾燥に使用される送風装置等として有用である。
【符号の説明】
【００３４】
１  送風装置本体
２  送風手段
３  吸い込み口
４  吹き出し口
５  風向変更手段
６  回転軸
７  第一の風向変更手段
８  第二の風向変更手段
９  保持部
１０  回転駆動手段
１１  制御部
１２  風向変更板
１３  ルーバ
２０  浴室
２１  バスタブ
２２  洗い場
１０１  風向変更手段
１０２  回転軸
１０３  回転駆動手段
１０４  フラップ
１０５  風向変更板
【図１】
2015139631.tif 000003
【図２】
2015139631.tif 000004
【図３】
2015139631.tif 000005
【図４】
2015139631.tif 000006